(57)【特許請求の範囲】
【請求項１】
電動モータを駆動源として本体ハウジングに内装し、該電動モータを起動させる起動スイッチを前記本体ハウジングに備えた電動工具であって、
前記起動スイッチは、前記電動モータを起動停止させるオン位置とオフ位置との間を移動操作可能で、前記オン位置において前記本体ハウジング側に係合して前記オン位置にロックするためのロック部を備えており、
前記ロック部を前記本体ハウジング側に係合させて、前記起動スイッチをオン位置にロックして前記オフ位置側への戻りを規制したロックオン状態において、通電を遮断すると作動ピンを突き出す電磁アクチュエータの前記作動ピンの突き出し動作により、前記ロック部の前記本体ハウジング側に対する係合状態を解除して前記起動スイッチのロックオン状態を解除する構成とした電動工具。
【請求項２】
電動モータを駆動源として本体ハウジングに内装し、該電動モータを起動させる起動スイッチを前記本体ハウジングに備えた電動工具であって、
前記起動スイッチは、前記電動モータを起動停止させるオン位置とオフ位置との間を移動操作可能で、前記オン位置において前記本体ハウジング側に係合して前記オン位置にロックするためのロック部を備えており、
前記ロック部を前記本体ハウジング側に係合させて、前記起動スイッチをオン位置にロックして前記オフ位置側への戻りを規制したロックオン状態において、通電を遮断すると作動ピンを引き込ませる電磁アクチュエータの前記作動ピンの引き込み動作により、前記ロック部の前記本体ハウジング側に対する係合状態を解除して前記起動スイッチのロックオン状態を解除する構成とした電動工具。
【請求項３】
請求項１又は２記載の電動工具であって、前記起動スイッチは、前記本体ハウジングの支持台座部に、前記オン位置と前記オフ位置との間をスライド操作可能に支持されており、かつ前記オン位置においてロックオン位置とロックオフ位置との間を傾動可能に支持されており、前記オン位置においてロックオン位置に傾動させて前記ロック部を前記支持台座部に係合させて当該ロックオン位置に保持される構成とした電動工具。
【請求項４】
請求項１〜３の何れか１項に記載の電動工具であって、前記起動スイッチと前記電磁アクチュエータとの間に中間レバーを介在させ、前記電磁アクチュエータの作動ピンの動作により前記中間レバーを傾動させて前記起動スイッチのロックオン状態を解除する構成とした電動工具。
【請求項５】
電動モータを駆動源として内装し、該電動モータを起動させる起動スイッチを備えた電動工具であって、
前記起動スイッチは、前記電動モータを起動停止させるオン位置とオフ位置との間を移動操作可能で、前記オン位置にロックするためのロック部を備えており、
前記オン位置において前記ロック部に、通電を遮断すると作動ピンを引き込ませる電磁アクチュエータの作動ピンを通電による突き出し動作により、直接係合させて当該起動スイッチを前記オン位置にロックして前記オフ位置側への戻りを規制したロックオン状態とし、該ロックオン状態において、前記作動ピンの引き込み動作により前記起動スイッチのロック部に対する前記作動ピンの直接係合状態の解除により前記ロックオン状態を解除する構成とした電動工具。
【請求項６】
請求項１〜５の何れか１項に記載の電動工具であって、弾性部材によって、ロックオン状態が解除された前記起動スイッチをオフ位置に戻す構成とした電動工具。
【請求項７】
請求項１〜６の何れか１項に記載の電動工具であって、通電の遮断による、前記電磁アクチュエータの作動ピンの動作により、前記起動スイッチのロックオン位置への移動操作が妨げられる構成とした電動工具。
【発明の詳細な説明】
【技術分野】
【０００１】
本発明は、例えばディスクグラインダ等の電動工具に関する。
【背景技術】
【０００２】
石材やコンクリートの切断、研削作業等に用いられるディスクグラインダは、起動スイッチをオン側に操作すると電動モータが起動して円形の砥石が回転する。この起動状態は、使用者の起動スイッチ操作等の負担を軽減するためにロックできるようになっている（ロックオン機能）。下記の特許文献には、駆動源としての電動モータの動作を制御するマイコン制御（モータ制御）により起動スイッチのロックオン機能を実現する技術が開示されている。
【先行技術文献】
【特許文献】
【０００３】
【特許文献１】特開２０１２−７６１６０号公報
【発明の概要】
【発明が解決しようとする課題】
【０００４】
しかしながら、係るロックオン機能を備える場合には、例えば停電時等の電源遮断時にロックオン状態が解除されて、電源復帰後の不用意な再起動が防止される必要がある。従来電源遮断時におけるロックオン機能の解除はモータ制御により電気的に行う構成となっていたため、モータ制御が複雑になって大型化及びコスト高を招く原因になっていた。本発明は、電気的なモータ制御に依らず、大型化及びコスト高を招くことなく電源遮断時にロックオン機能が解除されるようにすることを目的とする。
【課題を解決するための手段】
【０００５】
上記した課題は、以下の各発明によって解決される。第１の発明は、電動モータを駆動源として内装し、この電動モータを起動させる起動スイッチを備えた電動工具である。第１の発明では、起動スイッチをオン位置にロックしたロックオン状態において、通電を遮断すると作動ピンを突き出す電磁アクチュエータの作動ピンの突き出し動作により起動スイッチのロックオン状態を解除する構成となっている。
【０００６】
第１の発明によれば、起動スイッチのロックオン状態を解除する手段として、通電が遮断されると作動ピンを突き出す方向に作動させる電磁アクチュエータが用いられている。停電等の電源遮断時に電磁アクチュエータの作動ピンが突き出し側に作動して起動スイッチのロックオン状態が解除されることにより、電源復帰時における電動モータの起動が回避されて当該電動工具の不用意な起動が防止される。第１の発明によれば、電磁アクチュエータの作動を利用して起動スイッチのロックオン状態を解除する構成であり、従来のように電動モータの動作制御に依る構成ではないので、当該動作制御を行うコントローラのコンパクト化を図ることができ、この点で当該電動工具の小型化及び低コスト化を図ることができる。
【０００７】
第２の発明は、電動モータを駆動源として内装し、該電動モータを起動させる起動スイッチを備えた電動工具である。第１の発明では、起動スイッチをオン位置にロックしたロックオン状態において、通電を遮断すると作動ピンを引き込ませる電磁アクチュエータの作動ピンの引き込み動作により起動スイッチのロックオン状態を解除する構成となっている。
【０００８】
第２の発明によれば、起動スイッチのロックオン状態を解除する手段として、通電が遮断されると作動ピンを引き込む方向に作動させる電磁アクチュエータが用いられている。停電等の電源遮断時に電磁アクチュエータの作動ピンが引き込む側に作動して起動スイッチのロックオン状態が解除されることにより、電源復帰時における電動モータの起動が回避されて当該電動工具の不用意な起動が防止される。第２の発明によれば、電磁アクチュエータの作動を利用して起動スイッチのロックオン状態を解除する構成であり、従来のように電動モータの動作制御に依る構成ではないので、当該動作制御を行うコントローラのコンパクト化を図ることができ、この点で当該電動工具の小型化及び低コスト化を図ることができる。
【０００９】
第３の発明は、第１又は第２の発明において、起動スイッチは、本体ハウジングの支持台座部に、オン位置とオフ位置との間をスライド操作可能に支持されており、かつ前記オン位置においてロックオン位置とロックオフ位置との間を傾動可能に支持されており、前記オン位置においてロックオン位置に傾動させてロック部を前記支持台座部に係合させて当該ロックオン位置に保持される構成とした電動工具である。
【００１０】
第３の発明によれば、起動スイッチをオン位置にスライド操作して電動モータを起動させることができる。このオン位置で起動スイッチを傾動させてロック部を支持台座部に係合させることにより当該起動スイッチをオン位置にロックすることができる。起動スイッチのロックオン状態が通電遮断時における電磁アクチュエータの作動により物理的に解除されて、その後の通電再開時における当該電動工具の不用意な起動が防止される。
【００１１】
第４の発明は、第１又は第２の発明において、起動スイッチと前記電磁アクチュエータとの間に中間レバーを介在させ、前記電磁アクチュエータの作動ピンの動作により前記中間レバーを傾動させて前記起動スイッチのロックオン状態を解除する構成とした電動工具である。
【００１２】
第４の発明によれば、電磁アクチュエータの配置の自由度を高めることができる。また、中間レバーのてこ作用により電磁アクチュエータの作動ピンの推力を増幅して起動スイッチのロックオン状態を解除する操作力とすることができることから、電磁アクチュエータの小型化を図ることができる。さらに、中間レバーの傾動支点と起動スイッチ側に対する作用点との位置関係を入れ替えることにより、電磁アクチュエータについて通電の遮断により引き込むタイプと突き出すタイプを任意に選択して採用することができる。
【００１３】
第５の発明は、第２の発明において、電磁アクチュエータの作動ピンに起動スイッチを直接係合させて当該起動スイッチをオン位置にロックする構成とした電動工具である。
【００１４】
第５の発明によれば、通電により突き出した電磁アクチュエータの作動ピンに起動スイッチが直接係合されることにより当該起動スイッチがオン位置にロックされたロックオン状態となる。このロックオン状態において、電源遮断により電磁アクチュエータへの通電が遮断されると作動ピンが引き込んで起動スイッチに対する係合が外れ、これにより起動スイッチのロックオン状態が解除される。第５の発明によれば、作動ピンに起動スイッチを直接係合させる構成であるので、他部材を介在させて間接的に係合させる構成に比してロックオン機構の構成の簡略化及び低コスト化を図ることができる。
【図面の簡単な説明】
【００１５】
【図１】第１実施形態に係る電動工具の全体斜視図である。
【図２】図１の(II)-(II)線断面矢視図であって、第１実施形態に係る電動工具の横断面図である。本図は、通電前で起動スイッチがオフ位置の状態であって電磁アクチュエータの作動ピンが突き出された状態を示している。
【図３】起動スイッチ周辺の横断面図である。本図は、通電により電磁アクチュエータの作動ピンが引き込まれた状態で起動スイッチがオフ位置の状態を示している。
【図４】起動スイッチ周辺の横断面図である。本図は、通電により電磁アクチュエータの作動ピンが引き込まれた状態で起動スイッチがオン位置にロックされたロックオン状態を示している。
【図５】起動スイッチ周辺の横断面図である。本図は、通電の遮断により電磁アクチュエータの作動ピンが突き出されて起動スイッチのロックオン状態が解除された直後の状態を示している。
【図６】第２実施形態に係る電動工具の前部側の縦断面図である。本図は、起動スイッチのロックオン状態を示している。
【図７】図６の(VII)-(VII)線断面矢視図である。本図では、通電により電磁アクチュエータの作動ピンが突き出された状態であることが示されている。
【図８】第２実施形態に係る電動工具の前部側の縦断面図である。本図は、起動スイッチのロックオン状態が解除された直後の状態が示されている。
【図９】図８の(IX)-(IX)線断面矢視図である。本図では、通電の遮断により電磁アクチュエータの作動ピンが引き込まれた状態であることが示されている。
【図１０】第２実施形態に係る電動工具の前部側の縦断面図である。本図は、ロックオン状態が解除されて起動スイッチがオフ位置に戻された状態を示している。
【図１１】図１０の(XI)-(XI)線断面矢視図である。本図では、図９と同じく電磁アクチュエータの作動ピンが引き込まれた状態であることが示されている。
【図１２】第３実施形態に係る電動工具の横断面図である。本図は、起動スイッチがロックオン状態で、電磁アクチュエータの作動ピンが通電により引き込まれた状態を示している。
【図１３】第３実施形態に係る電動工具の横断面図である。本図は、通電の遮断により電磁アクチュエータの作動ピンが突き出されて、起動スイッチのロックオン状態が解除される途中の状態を示している。
【図１４】第４実施形態に係る電動工具全体の縦断面図である。本図は、起動スイッチがロックオフレバーによりオフ位置にロックされたロックオフ状態を示している。本図は、通電により電磁アクチュエータの作動ピンが引き込まれた状態を示している。
【図１５】第４実施形態に係る電動工具全体の縦断面図である。本図は、ロックオフレバーが解除され、ロックオンレバーが操作されて起動スイッチがオン位置にロックされたロックオン状態を示している。
【図１６】第４実施形態に係る電動工具の全体斜視図である。本図は、通電の遮断により電磁アクチュエータの作動ピンが突き出された直後の状態が示されている。
【図１７】第４実施形態に係る電動工具の全体斜視図である。本図は、ロックオン状態が解除されて起動スイッチがロックオフレバーによりオフ位置にロックされたロックオフ状態を示している。本図は、通電が遮断されて電磁アクチュエータの作動ピンが突き出された状態を示す点で図１４とは異なっている。
【発明を実施するための形態】
【００１６】
次に、本発明の実施形態を図１〜図１７に基づいて説明する。図１は、第１実施形態に係る電動工具１を示している。以下説明する実施形態では、電動工具１の一例としてディスクグラインダが例示されている。この電動工具１は、駆動源としての電動モータ２を本体ハウジング３に内装している。本体ハウジング３は使用者が把持しやすい太さの円筒形状を有している。使用者は当該電動工具１の後ろ側（図１及び図２において右側）に位置して本体ハウジング３を把持する。以下、部材及び構成等の前後左右方向については使用者を基準にして用いる。
【００１７】
本体ハウジング３の後部に、後部ケース４が結合されている。後部ケース４には、スイッチ本体５が収容されている。後部ケース４の後部には、電源供給用の電源コード６が引き込まれている。電源コード６を経て商用の１００Ｖ交流電源が供給される。
【００１８】
電動モータ２の出力軸２ａには冷却ファン１８が取り付けれている。電動モータ２の起動により冷却ファン１８が一体で回転することにより、本体ハウジング３内に外気が導入されて電動モータ２の冷却がなされる。冷却ファン１８の後ろ側は、本体ハウジング３側に取り付けたバッフルプレート１９で覆われている。バッフルプレート１９で後ろ側を覆われることにより、冷却ファン１８の回転に伴って本体ハウジング３の後ろ側から前側へ向けた冷却風の流れが効率よく発生する。
【００１９】
本体ハウジング３の前部には、ギヤヘッド部１０のギヤヘッドケース１１が結合されている。電動モータ２の出力軸２ａには駆動側のかさ歯車１２が取り付けられている。かさ歯車１２は、従動側のかさ歯車１３に噛み合わされている。従動側のかさ歯車１３は、スピンドル１４に結合されている。スピンドル１４は、ギヤヘッドケース１１に対して回転自在に支持されている。スピンドル１４は、電動モータ２の出力軸２ａに対して直交する軸線回りに回転自在に支持されている。スピンドル１４の下部がギヤヘッドケース１１の下面から下方へ突き出されている。
【００２０】
ギヤヘッドケース１１の下面から突き出されたスピンドル１４の下部に、円形の砥石１５が取り付けられている。砥石１５は、インナフランジ１６とアウタフランジ１７間に挟みこまれた状態でスピンドル１４に取り付けられている。砥石１５の後ろ側ほぼ半周の範囲は、砥石カバー７により覆われている。この砥石カバー７により、粉塵等の使用者側への飛散が防止される。
【００２１】
本体ハウジング３の前部左側面には、起動スイッチ２０が配置されている。この起動スイッチ２０は、本体ハウジング３の左側部に設けた平坦な支持台座部３ａに沿って、前後にスライド操作可能に設けられている。本体ハウジング３を把持した手の指先で起動スイッチ２０を前側へスライド操作すると、電動モータ２が起動して砥石１５が回転する。起動スイッチ２０を後ろ側へスライド操作すると、電動モータ２が停止し、従って砥石１５が停止する。
【００２２】
起動スイッチ２０には、ロック部２０ａとアーム部２０ｂが一体に設けられている。起動スイッチ２０の左側面は、左方へ円弧形に張り出して指の押し当て部２０ｃとされている。押し当て部２０ｃの表面にはギザギザの滑り止め部が形成されている。ロック部２０ａは、押し当て部２０ｃの右端から右方へ突き出す状態に設けられている。
【００２３】
アーム部２０ｂは、本体ハウジング３の支持台座部３ａに設けた挿通窓部３ｂを経て本体ハウジング３の内側に突き出されている。アーム部２０ｂは、中間レバー２１の前部に連結されている。中間レバー２１の後部は、引っ張りばね２２を介してスイッチフレーム２３に連結されている。スイッチフレーム２３は、スイッチ本体５の後方に張り出した状態で前後に変位可能に支持されている。起動スイッチ２０を前側のオン位置に向けてスライド操作すると、中間レバー２１を介してスイッチフレーム２３が前側へ変位する。スイッチフレーム２３が前側へ変位すると、スイッチ本体５の作動ボタン５ａが押し込まれて当該スイッチ本体５がオンする。スイッチ本体５がオンすると電動モータ２が起動する。
【００２４】
起動スイッチ２０が後ろ側のオフ位置に戻されると、中間レバー２１を介してスイッチフレーム２３が後ろ側へ変位する。スイッチフレーム２３が後ろ側へ変位すると、スイッチ本体５の作動ボタン５ａの押し操作が解除されて当該スイッチ本体５がオフする。スイッチ本体５がオフすると電動モータ２が停止する。中間レバー２１とスイッチフレーム２３と間に引っ張りばね２２が介在されていることにより、スイッチ本体５の作動ボタン５ａにはスイッチフレーム２３を介して常に引っ張りばね２２の付勢力が付加されるようになっており、過大な押し操作力が直接付加されないようになっている。
【００２５】
スイッチ本体５の作動ボタン５ａは、オフ側（突き出し側）へばね付勢されている。このため、起動スイッチ２０の前側へのスライド操作（オン操作）は、引っ張りバネ２２の付勢力と作動ボタン５ａのばね付勢力に抗してなされる。逆に起動スイッチ２０の前側へスライド操作を解除すると、起動スイッチ２０は引っ張りばね２２の付勢力と作動ボタン５ａのばね付勢力により後ろ側のオフ位置に戻される。図１及び図２は起動スイッチ２０がオフ位置に戻された状態を示している。
【００２６】
起動スイッチ２０は前側のオン位置にロックすることができる。起動スイッチ２０を指先で前側のオン位置にスライド操作した後、その先端側を本体ハウジング３の内方へ向けて押し込み操作すると、ロック部２０ａが支持台座部３ａの前端部に引き掛けられる。この引き掛け状態は、引っ張りバネ２２の付勢力が中間レバー２１を経て起動スイッチ２０に作用していることにより保持される。ロック部２０ａが支持台座部３ａの前端部に引き掛けられたロックオン状態は、使用者が指先で起動スイッチ２０の後ろ側を押し下げ操作する等して手動により解除することができる。
【００２７】
また、本実施形態の電動工具１は、電源供給が遮断された時に、起動スイッチ２０のロックオン状態を自動的に解除するための機構を有している。図２以降に示すように本体ハウジング３の支持台座部３ａの前側には、電磁アクチュエータ３０が内装されている。本実施形態では、この電磁アクチュエータ３０には、通電されると作動ピン３０ａを磁力により引き込ませ、電源が遮断されると作動ピン３０ａをばね力により突き出す方向に作動させるタイプのものが用いられている。電磁アクチュエータ３０に対する電源は、電動モータ２と同様電源コード６によりなされる。電源コード６を経て商用１００ｖ電源が供給される状態で、電磁アクチュエータ３０に適正電圧の電源が供給される。電源コード６を電源コンセントから引き抜くと、当該電動工具１に対する電源供給が遮断されるとともに、電磁アクチュエータ３０に対する通電が遮断される。
【００２８】
図２に示すように電磁アクチュエータ３０に対する通電が遮断されると、作動ピン３０ａが突き出される。作動ピン３０ａは突き出されると、支持台座部３ａの前端部を塞ぐ状態となる。このため、作動ピン３０ａが突き出された状態では、起動スイッチ２０をオン位置までスライド操作できるが、そのロック部２０ａを支持台座部３ａの前端部に引き掛けることができない状態となる。
【００２９】
これに対して図３に示すように、電源コード６が電源コンセントに接続されて電動モータ２に電源供給される状態となると、同時電磁アクチュエータ３０が通電状態となる。電磁アクチュエータ３０が通電状態となると、その作動ピン３０ａが引き込まれた状態となる。作動ピン３０ａが引き込まれると、支持台座部３ａの前端部が開放された状態なる。作動ピン３０ａが本体ハウジング３の内方へ退避して支持台座部３ａの前端部が開放されると、起動スイッチ２０のロック部２０ａを当該支持台座部３ａの前端部に引き掛け可能な状態となる。
【００３０】
このため、図４に示すように起動スイッチ２０を前側のオン位置にスライド操作し、その後その前部を押し込み操作してロック部２０ａを支持台座部３ａの前端部に引き掛けることができる。前記したようにロック部２０ａの支持台座部３ａに対する引き掛け状態は、中間レバー２１を経て引っ張りばね２２の付勢力が起動スイッチ２０に作用していることにより保持される。起動スイッチ２０のロック部２０ａが支持台座部３ａの前端部に引き掛けられた状態に保持されることにより、当該起動スイッチ２０がオン位置にロックされる（ロックオン状態）。起動スイッチ２０をオン位置にロックすることにより、使用者は指先で起動スイッチ２０をオン位置側に押し続ける必要がなくなることから、長時間の研削作業等を楽に行うことができ、この点で当該電動工具１の作業性及び使い勝手を高めることができる。
【００３１】
起動スイッチ２０のロックオン状態で、例えば電源コード６が誤って電源コンセントから引き抜かれ、あるいは停電が発生する等して、当該電動工具１への電源供給が遮断された場合には、電磁アクチュエータ３０への電力供給が遮断される。電磁アクチュエータ３０への通電が遮断されると、その作動ピン３０ａが突き出し方向に作動する。図５に示すように電磁アクチュエータ３０の作動ピン３０ａが突き出されると、起動スイッチ２０のロック部２０ａが作動ピン３０ａに押されて支持台座部３ａの前端部から外れる。ロック部２０ａが支持台座部３ａの前端部から外れると、起動スイッチ２０は主として引っ張りばね２２の付勢力により後方（オフ位置側）に戻されて、スイッチ本体５はオフする。
【００３２】
このように起動スイッチ２０のロックオン状態で電源供給が遮断されると、当該ロックオン状態が解除されてスイッチ本体５がオフされる。このため、その後電源供給が復帰した時点で、電動モータ２が使用者の意に反して起動することがない。電源復帰後、使用者が改めて起動スイッチ２０をオン操作すれば電動モータ２を起動させて作業を行うことができる。また、電源復帰により電磁アクチュエータ３０の作動ピン３０ａが引き込み側に作動することから、起動スイッチ２０をロックオン操作すれば長時間の作業を楽に行うことができる。
【００３３】
以上説明した実施形態によれば、当該電動工具１への電源供給が遮断されると電磁アクチュエータ３０の作動ピン３０ａが突き出し側に作動して起動スイッチ２０のロックオン状態が強制的に解除される。これにより、電源復帰時における電動モータ２の起動が回避されて当該電動工具１の不用意な起動が防止される。例示した実施形態によれば、電磁アクチュエータ３０の作動を利用して起動スイッチ２０のロックオン状態を解除する構成であり、従来のように電動モータの動作制御において電気的にロックオン状態を解除する構成ではないので、当該動作制御を行うコントローラの簡略化及びコンパクト化を図ることができ、この点で当該電動工具１の小型化及び低コスト化を図ることができる。
【００３４】
また、作業終了後、起動スイッチ２０をオフ側に操作して電動モータ２を停止させ、その後電源コード６を電源コンセントから引き抜いておけば、電磁アクチュエータ３０の作動ピン３０ａが突き出された状態に保持される。このため、当該電動工具１の不使用時（保管時）に、起動スイッチ２０に対して他部材が干渉する等しても誤ってロックオン操作されてしまうことがなく、これによりその後の電源再投入時における不用意な起動が確実に防止される。
【００３５】
以上説明した実施形態には、種々変更を加えることができる。上記例示した第１実施形態では、電磁アクチュエータ３０の作動ピン３０ａにより起動スイッチ２０のロック部２０ａを直接押して当該起動スイッチ２０のロックオン状態を解除する構成を例示したが、例えば図６〜図１１に示すように中間レバー４１を介在させて間接的にロック部２０ａを解除側に押す構成としてもよい。変更を要しない部材及び構成については同位の符号を用いてその説明を省略する。
【００３６】
図７に示すように第２実施形態では、本体ハウジング３の支持台座部３ａの内側に沿って中間レバー４１が支軸４２を介して傾動可能に設けられている。第２実施形態の場合、中間レバー４１は、その長手方向ほぼ中央において支軸４２により傾動可能に支持されている。図７に示すように支軸４２に対して上側の端部の側方に電磁アクチュエータ４０が配置されている。電磁アクチュエータ４０とは反対側において、中間レバー４１の上側の端部と本体ハウジング３との間に圧縮ばね４３が介装されている。この圧縮ばね４３により中間レバー４１は支軸４２を中心にして図示反時計回り方向へ傾動する方向に付勢されている。
【００３７】
第２実施形態では、作動ピン４０ａの動作について第１実施形態の電磁アクチュエータ３０とは逆の動作をする電磁アクチュエータ４０が用いられている。第２実施形態では、電磁アクチュエータ４０に対して通電されるとその作動ピン４０ａが電磁力により突き出される。作動ピン４０ａが突き出されると、中間レバー４１は支軸４２を中心にして図示時計回り方向に傾動する。図示時計回り方向の傾動動作は圧縮ばね４３に抗してなされる。
【００３８】
中間レバー４１が図７において時計回り方向に傾動すると、その下側の端部に設けた係合部４１ａが本体ハウジング３の支持台座部３ａの端部から遠ざかる方向（図７において左方、使用者から見て右方）に変位する。係合部４１ａが支持台座部３ａの端部から遠ざかった状態では、ロック部２０ａを当該端部に引き掛けて起動スイッチ２０をロックオン操作することができる。
【００３９】
電動工具１に対する電源供給が遮断されて電磁アクチュエータ４０への通電が遮断されると、図９に示すようにその作動ピン４０ａが引き込み側に作動する。作動ピン４０ａが引き込まれる結果、中間レバー４１の上部側が圧縮ばね４３の付勢力により電磁アクチュエータ４０側に押され、その結果当該中間レバー４１が支軸４２を中心にして図示反時計回り方向に傾動する。
【００４０】
中間レバー４１が図９において反時計回り方向に傾動すると、図示下側の係合部４１ａが支持台座部３ａの端部に接近する方向に変位する。このため、起動スイッチ２０のロック部２０ａが当該係合部４１ａによりロックオン解除側（図９において右方、使用者から見て左方）に押される。図８及び図９に示すように中間レバー４１の係合部４１ａによってロック部２０ａが押されることにより、起動スイッチ２０のロック部２０ａが支持台座部３ａの端部から外れてロックオン状態が解除される。ロックオン状態が解除されると、起動スイッチ２０は図１０及び図１１に示すように、中間レバー４１を介して作用する引っ張りばね２２の付勢力によりオフ位置に戻される。
【００４１】
以上のように構成した第２実施形態によっても、電源供給が遮断された時点で電磁アクチュエータ４０の作動により起動スイッチ２０のロックオン状態が解除される構成であることから、従来のように電動モータの動作制御において電気的にロックオン状態を解除する構成に比してモータ制御用のコントローラの簡略化及び小型化を図ることができる。
【００４２】
また、当該電動工具１の使用後、電源コード６を電源コードから引き抜いておけば、電磁アクチュエータ４０の作動ピン４０ａが引き込んだ状態に保持されて、中間レバー４１の係合部４１ａが支持台座部３ａの端部の前側に隣接する状態となり、これにより起動スイッチ２０をロックオン操作できない状態となる。このことから、当該電動工具１の保管時に、起動スイッチ２０に他部材が干渉する等しても、起動スイッチ２０が誤ってロックオン操作されることがなく、これによりその後の電源再投入時に当該電動工具１が不用意に起動することがない。
【００４３】
図１２及び図１３には第３実施形態の電動工具１が示されている。第３実施形態は、電磁アクチュエータ５０と中間レバー５１の支持形態が第２実施形態とは異なっている。第３実施形態では、通電が遮断されると作動ピン５０ａを突き出すタイプであって第１実施形態と同じタイプの電磁アクチュエータが用いられている。また、第３実施形態では、中間レバー５１が、その長手方向の一端側（図１２，１３において下端側）において支軸５２を介して傾動可能に支持されている。中間レバー５１の長手方向中ほどに、係合部５１ａが設けられている。
【００４４】
電磁アクチュエータ５０は、中間レバー５１の上部側方に配置されている。通電により電磁アクチュエータ５０の作動ピン５０ａが引き込んだ状態では中間レバー５１は支軸５２を中心にして図示反時計回り方向に傾動可能な状態となる。このため、図１２に示すように係合部５１ａは支持台座部３ａの端部に対して遠ざかる方向（図１２において左方、使用者から見て右方）に変位可能な状態となる。このことから、電源供給時には、ロック部２０ａを支持台座部３ａの端部に引き掛けて起動スイッチ２０をロックオン操作することができる。
【００４５】
電源供給が遮断されて電磁アクチュエータ５０に対する通電が遮断されると、図１３に示すように電磁アクチュエータ５０の作動ピン５０ａが突き出される。作動ピン５０ａが突き出されると、中間レバー５１の上部が押されて当該中間レバー５１が支軸５２を中心にして図示時計回り方向に傾動する。このため、中間レバー５１の係合部５１ａが支持台座部３ａの前端部の前側に隣接する位置に変位する。係合部５１ａが支持台座部３ａの前側に変位することにより、起動スイッチ２０のロック部２０ａが押されて起動スイッチ２０のロックオン状態が解除される。
【００４６】
また、電源遮断時には、中間レバー５１の係合部５１ａが支持台座部３ａの前端部の前側に位置することから、起動スイッチ２０のロック部を支持台座部３ａの前端部に引き掛けることができない。このため、電源遮断時には起動スイッチ２０をロックオン操作できない。
【００４７】
このように構成した第３実施形態によっても、電磁アクチュエータ５０により起動スイッチ２０のロックオン状態が解除される構成であるので、従来のように電動モータの動作制御として電気的にロックオン状態を解除する構成に比してモータ制御用のコントローラの簡略化及びコンパクト化を図ることができる。
【００４８】
また、第３実施形態によっても、電源遮断時には起動スイッチ２０をロックオン操作できないことから、当該電動工具１の保管時等に起動スイッチ２０に他部材が干渉等しても起動スイッチ２０が誤ってロックオン操作されることなく、これによりその後の電源再投入時に当該電動工具１が不用意に起動することない。
【００４９】
図１４〜図１７には、第４実施形態の電動工具１が示されている。第４実施形態の電動工具１は、電動モータ２を起動、停止させるスイッチについて、第１〜第３実施形態のスライド操作式の起動スイッチ２０とは異なる大型レバー式の起動スイッチ６１を備えている。同様の部材及び構成については同位の符号を用いてその説明を省略する。
【００５０】
起動スイッチ６１は、いわゆるパドルスイッチと称される長尺のレバー形状を有するもので、本体ハウジング３の前部下面から後部ケース４の下面後部に至って配置されている。この起動スイッチ６１は、本体ハウジング３に係合された前端部を支点として上下に傾動操作可能に支持されている。この起動スイッチ６１には、前側の握り部６１ａと後ろ側の握り部６１ｂが設けられている。使用者は前側の握り部６１ａと後ろ側の握り部６１ｂの何れを引き操作しても電動モータ２を起動させることができる。従って、使用者は本体ハウジング３側を把持した場合には、前側の握り部６１ａを引き操作して電動モータ２を起動させることができ、後部ケース４側を把持した場合には、後ろ側の握り部６１ｂを引き操作して電動モータ２を起動させることができ、この点で当該電動工具１の操作性が高められている。
【００５１】
起動スイッチ６１には、前側の握り部６１ａと後ろ側の握り部６１ｂとの間においてロックオフレバー６２が設けられている。ロックオフレバー６２は、起動スイッチ６１をオフ位置にロックして、当該起動スイッチ６１の不用意なオン操作を防止する機能を有している。ロックオフレバー６２は、支軸６２ａを介して前後に傾動可能に支持されている。ロックオフレバー６２は図では見えていない捩りばねにより図１４に示す起立位置（ロックオフ位置）側に付勢されている。図１４に示すようにロックオフレバー６２を起立させた状態では、その上部が本体ハウジング３に設けた当接部３ｃに当接するため、起動スイッチ６１を図示上側（オン側）へ引き操作することができない。図１５に示すようにロックオフレバー６２をばね付勢力に抗して図示反時計回り方向に傾倒させると、その上部が下方へ変位する結果、起動スイッチ６１をオン側へ引き操作できるようになる。
【００５２】
後ろ側の握り部６１ｂの上方にスイッチ本体５が内装されている。スイッチ本体５は、起動スイッチ６１の後ろ側の握り部６１ｂにより作動ボタン５ａが押されてオンする。起動スイッチ６１の後ろ側にロックオンレバー６３が設けられている。ロックオンレバー６３は支軸６３ａを介して上下に傾動可能な状態で後部ケース４に支持されている。ロックオンレバー６３は圧縮ばね６４によりロックオン解除側（図において時計回り方向）に付勢されている。
【００５３】
ロックオンレバー６３には、ロック部６３ｂが一体に設けられている。ロック部６３ｂは、支軸６３ａ付近から上方へ延びている。このロック部６３ｂに沿って電磁アクチュエータ６０が支持されている。電磁アクチュエータ６０は、ロックオンレバー６３と一体で変位する。第４実施形態では、第１実施形態と同じく通電により作動ピン６０ａを引き込ませ、通電が遮断されると作動ピン６０ａを突き出させるタイプのものが用いられている。図１４では、電源コード６を電源コンセントに接続して当該電動工具１に電源供給がなされ、その結果電磁アクチュエータ６０に対する通電がなされて作動ピン６０ａが引き込まれた状態を示している。
【００５４】
図１５に示すように電源供給状態で、本体ハウジング３若しくは後部ケース４を把持した手の指先でロックオフレバー６２をばね付勢力に抗して反時計回り方向に傾倒させてロックオフ状態を解除することができる。ロックオフ解除状態を維持しつつ起動スイッチ６１を引き操作するとスイッチ本体５の作動ボタン５ａが後ろ側の握り部６１ｂで押されて当該スイッチ本体５がオンする。スイッチ本体５がオンすると電動モータ２が起動して砥石１５が回転する。
【００５５】
起動スイッチ６１の引き操作状態（スイッチ本体５のオン状態）において、ロックオンレバー６３を圧縮ばね６４に抗して押し込み操作すると、これと一体でロック部６３ｂと電磁アクチュエータ６０が支軸６３ａを中心とする円弧軌道に沿って上方へ変位する。この段階で電磁アクチュエータ６０の作動ピン６０ａは引き込み側に変位している。ロックオンレバー６３の押し込み操作により変位したロック部６３ｂの先端部が起動スイッチ６１の後端部に設けた係合部６１ｃに係合されることにより起動スイッチ６１のオフ位置側への戻し動作が規制されて、当該起動スイッチ６１がロックオン状態となる。
【００５６】
傾動先端側の係合部６１ｃに対してロック部６３ｂが下方から係合されることにより、起動スイッチ６１はオン位置にロックされてオフ位置側への戻し動作が規制されたロックオン状態となる。また、係合部６１ｃに対してロック部６３ｂが下方から係合されることにより、ロックオンレバー６３の図示時計回り方向への戻し動作が規制されることから当該ロックオンレバー６３が押し込み位置（ロックオン位置）に保持される。
【００５７】
ロックオン状態を手動で解除するには、使用者の握りを強くして起動スイッチ６１を上方へ僅かに変位させ、これにより係合部６１ｃをロック部６３ｂに対して上方へ退避させればよい。係合部６１ｃがロック部６３ｂに対して上方へ僅かに退避されると、ロックオンレバー６３が圧縮ばね６４の付勢力により図示時計回り方向に回動して図１４に示すロックオン解除位置に戻される。その後起動スイッチ６１の握りを解除すれば、スイッチ本体５がオフして電動モータ２が停止する。
【００５８】
ロックオンレバー６３によるロックオン状態で電源供給が遮断されると、電磁アクチュエータ６０に対する通電が遮断される。図１６に示すように電磁アクチュエータ６０に対する通電が遮断されることによりその作動ピン６０ａが突き出される。作動ピン６０ａが突き出されると、係合部６１ｃが当該作動ピン６０ａによって上方へ僅かに押される。係合部６１ｃが作動ピン６０ａにより上方へ押されて退避することにより、当該係合部６１ｃに対するロック部６３ｂの係合が外れる。係合部６１ｃに対するロック部６３ｂの係合が外れると、上記した手動解除の場合と同じく、ロックオンレバー６３が圧縮ばね６４の付勢力により図示時計回り方向に回動して図１７に示すロックオン解除位置に戻される。
【００５９】
以上説明した第４実施形態の電動工具１によっても、電磁アクチュエータ６０により起動スイッチ６１のロックオン状態が解除される構成であるので、従来のように電動モータの動作制御として電気的にロックオン状態を解除する構成に比してモータ制御用のコントローラの簡略化及びコンパクト化を図ることができる。
【００６０】
また、第４実施形態によっても、電源遮断時には電磁アクチュエータ６０の作動ピン６０ａが突き出された状態となっているため、誤って起動スイッチ６１の引き操作し、かつロックオンレバー６３を押し込み操作しても起動スイッチ６１がオン位置にロックされないことから、その後の電源再投入時に当該電動工具１が不用意に起動することない。
【００６１】
以上説明した各実施形態はさらに変更を加えることができる。例えば、第１実施形態において作動ピンの動作が逆である電磁アクチュエータを用いることにより、起動スイッチ２０のロック部２０ａを電磁アクチュエータの作動ピンに直接係合させて当該起動スイッチ２０をオン位置にロックする構成とすることができる。この場合、電磁アクチュエータに対する通電が遮断されると、作動ピンが引き込まれて起動スイッチ２０のロック部２０ａに対する係合状態が解除され、これにより当該起動スイッチ２０のロックオン状態が解除される。
【００６２】
また、交流電源を電源とする電動工具を例示したが、充電により繰り返し使用できるバッテリパックを電源とする電動工具についても同様に適用することができる。
【００６３】
さらに、電動工具１としてディスクグラインダを例示したが、レシプロソー等の切断機やねじ締め機等その他の電動工具についても、例示したように電磁アクチュエータを用いて電源遮断時にロックオン機構を自動的に解除することにより同様の作用効果を得ることができる。
【符号の説明】
【００６４】
１…電動工具（ディスクグラインダ）
２…電動モータ、２ａ…出力軸
３…本体ハウジング
３ａ…支持台座部、３ｂ…挿通窓部、３ｃ…当接部
４…後部ケース
５…スイッチ本体、５ａ…作動ボタン
６…電源コード
７…砥石カバー
１０…ギヤヘッド部
１１…ギヤヘッドケース
１２…かさ歯車（駆動側）
１３…かさ歯車（従動側）
１４…スピンドル
１５…砥石
１８…冷却ファン
１９…バッフルプレート
２０…起動スイッチ
２０ａ…ロック部、２０ｂ…アーム部、２０ｃ…押し当て部
２１…中間レバー
２２…引っ張りばね
２３…スイッチフレーム
３０…電磁アクチュエータ（第１実施形態）
３０ａ…作動ピン
４０…電磁アクチュエータ（第２実施形態）
４０ａ…作動ピン
４１…中間レバー、４１ａ…係合部
４２…支軸
４３…圧縮ばね
５０…電磁アクチュエータ（第３実施形態）
５０ａ…作動ピン
５１…中間レバー、５１ａ…係合部
５２…支軸
６０…電磁アクチュエータ（第４実施形態）
６０ａ…作動ピン
６１…起動スイッチ
６１ａ…前側の握り部、６１ｂ…後ろ側の握り部、６１ｃ…係合部
６２…ロックオフレバー、６２ａ…支軸
６３…ロックオンレバー
６３ａ…支軸、６３ｂ…ロック部
６４…圧縮ばね
【図１】
0006577830.tif 000002
【図２】
0006577830.tif 000003
【図３】
0006577830.tif 000004
【図４】
0006577830.tif 000005
【図５】
0006577830.tif 000006
【図６】
0006577830.tif 000007
【図７】
0006577830.tif 000008
【図８】
0006577830.tif 000009
【図９】
0006577830.tif 000010
【図１０】
0006577830.tif 000011
【図１１】
0006577830.tif 000012
【図１２】
0006577830.tif 000013
【図１３】
0006577830.tif 000014
【図１４】
0006577830.tif 000015
【図１５】
0006577830.tif 000016
【図１６】
0006577830.tif 000017
【図１７】
0006577830.tif 000018